(57)【要約】  本発明は、好適にはスキージャンプ装置／スキージャンプ台用の助走路システムとしての、少なくとも１つの滑走面部材（１４）を備えた装置のための構造物に関する。前記滑走面部材（１４）の高さ及び／又は延在はスペーサ部材（３０）によって、任意の形状に適合させられることが提案される。
2015517838.tif 000002
【特許請求の範囲】
【請求項１】
好適にはスキージャンプ装置／スキージャンプ台用の助走路システムとしての、少なくとも１つの滑走面部材（１４）を備えた装置のための構造物であって、
前記滑走面部材（１４）の高さ及び／又は延在はスペーサ部材（３０）によって、任意の形状に適合させられることを特徴とする、少なくとも１つの滑走面部材（１４）を備えた装置のための構造物。
【請求項２】
前記スペーサ部材（３０）はその長さの寸法を変更させることができる、請求項１記載の構造物。
【請求項３】
前記スペーサ部材（３０）は、当該装置に固定のベース装置（３２）と前記滑走面部材（１４）との間に配置されている、請求項１又は２記載の構造物。
【請求項４】
前記滑走面部材（１４）は、前記スキートラックの延在方向に対して横方向に配置された第１の横方向異形部材（２８）上に配置されており、前記第１の横方向異形部材（２８）と当該装置に固定のベース装置（３２）との間に前記スペーサ部材（３０）が設けられている、請求項１から３までのいずれか１項記載の構造物。
【請求項５】
前記滑走面部材（１４）は、第１の長手方向異形部材（２６）上に配置されていて、該第１の長手方向異形部材（２６）は前記第１の横方向異形部材（２８）上に配置されており、前記第１の横方向異形部材（２８）と当該装置に固定のベース装置（３２）との間に前記スペーサ部材（３０）が設けられている、請求項１から４までのいずれか１項記載の構造物。
【請求項６】
前記スペーサ部材（３０）は、ナット（３６）を備えたねじ山付きボルト（３４）を有している、請求項１から５までのいずれか１項記載の構造物。
【請求項７】
前記ベース装置（３２）は第２の横方向異形部材（３８）を有している、請求項１から６までのいずれか１項記載の構造物。
【請求項８】
前記第２の横方向異形部材（３８）上には第２の長手方向異形部材（４０）が配置されていて、該第２の長手方向異形部材（４０）からは前記スペーサ部材（３０）の前記ねじ山付ボルト（３４）が上方に向かって立設されている、請求項１から７までのいずれか１項記載の構造物。
【請求項９】
前記第１の長手方向異形部材（２６）と前記第１の横方向異形部材（２８）は、断面Ｃ字形の、又は断面Ｕ字形の、又は断面Ｓ字形の、又は断面Ｔ字形の、又は断面二重Ｔ字形の、又は断面Ｈ字形の異形部材から形成されている、請求項１から８までのいずれか１項記載の構造物。
【請求項１０】
前記滑走面部材（１４）に配設された前記第２の横方向異形部材（３８）は断面二重Ｔ字形の異形部材から形成されている、請求項１から９までのいずれか１項記載の構造物。
【請求項１１】
前記滑走面部材（１４）に配設された前記第２の長手方向異形部材（４０）は、断面Ｃ字形の、又は断面Ｕ字形の、又は断面Ｓ字形の、又は断面Ｔ字形の、又は断面二重Ｔ字形の、又は断面Ｈ字形の異形部材から、好適には断面二重Ｔ字形の異形部材から形成されている、請求項１から１０までのいずれか１項記載の構造物。
【請求項１２】
前記第１の横方向異形部材（２８）は、前記滑走面部材（１４）を側方で越えて突出していない、請求項１から１１までのいずれか１項記載の構造物。
【請求項１３】
前記第１の横方向異形部材（２８）は、前記滑走面部材（１４）を両側で側方で越えて突出しており、それぞれ側方で突出する部分は、通行可能な面部材のために設けられている、請求項１から１２までのいずれか１項記載の構造物。
【請求項１４】
前記第２の長手方向異形部材（４０）は、前記第１の横方向異形部材（２８）の互いに離間した端部区分で、コンソール状のアングル異形部材によって形成されていて、該アングル異形部材は側方異形部材（４２）に取り付けられており、該側方異形部材（４２）は、前記第１の長手方向異形部材（２６）と前記滑走面部材（１４）とを僅かに越えて突出している、請求項１から１３までのいずれか１項記載の構造物。
【発明の詳細な説明】
【技術分野】
【０００１】
本発明は、少なくとも１つの滑走面部材を備えた装置のための構造物、好適にはスキージャンプ装置／スキージャンプ台用の助走路システムとしての滑走面部材を有した装置のための構造物、特に好適には、２つの互いに隣接する平行に延在するスキートラックとしての、スキージャンプ装置／スキージャンプ台用の助走路（アプローチ）システムとしての滑走面部材を有した装置のための構造物に関する。
【０００２】
このような形式の滑走面部材は例えば独国特許出願公開第１０２３３４６７号明細書に記載されていて、ポリマ材料から成るそれぞれ１つの底面部材を有しており、この底面部材には、底面部材から突出する突起体が格子状パターンで互いに間隔を置いて位置固定されている。この突起体はセラミック体である。同様に、突起体は、鋼又は類似のもののような、別の適当な耐摩耗性の材料から成っていて良い。
【０００３】
冒頭で述べた形式の滑走面部材は例えば、ＤＥ１０２００４０２３０８６Ｂ４号明細書からも公知であり、この場合、矩形の下部構造面部材上にその両外側長手方向縁部に沿ってそれぞれ１つの第１の条片エレメントが取り付けられていて、長手方向中央領域には互いに間隔を置いて配置された２つの第２の条片エレメントが取り付けられている。それぞれ第１の条片エレメントとこれに対応する第２の条片エレメントとが、１つのスキートラックを側方で画成している。それぞれ第１の条片エレメントとこれに対応する第２の条片エレメントとの間で、下部構造面部材上に底面部材が配置されていて、これは例えば上記で引用した独国特許出願公開第１０２３３４６７号明細書に記載されている。各底面部材は上面に排水・溝システムが形成されている。
【０００４】
独国特許出願公開第１０２００７０６０７５５号明細書には、冒頭で述べた形式の滑走面部材が開示されていて、該滑走面部材は、２つの第１の条片エレメントと２つの第２の条片エレメントとが設けられている下部構造面部材を有しており、それぞれ第１の条片エレメントと、これに対応する第２の条片エレメントとは１つのスキートラックを側方で画成している。下部構造面部材は、滑走面部材の長手方向で設けられている複数の通路を有している。スキートラックを凍結させるために、これらの長手方向通路を通して冷却媒体を案内することができる。また、スキートラックを所望のように加熱するために、これらの長手方向通路を通して温度調節媒体を案内することもできる。
【０００５】
冒頭で述べた形式の滑走面部材は例えば、独国特許第１０２００８０２０４３９号明細書によっても公知であり、この滑走面部材は、下部構造面部材と、それぞれ１つのスキートラックを側方で画成している２つの第１の条片エレメントと２つの第２の条片エレメントとを有している。両第２の条片エレメントはノズル孔を備えて形成されていて、このノズル孔は、噴射水管路に接続可能であって、スキートラック内へと開口している。両第２の条片エレメントの間には、選択的に、長手方向で移動可能なＴＶカメラ装置又はカバーを取り付けることができる。
【０００６】
本発明の課題は、冒頭で述べた形式の構造物を改良して、その都度所望の輪郭又は所望の形状への当該装置の適合が、例えば、スキージャンプ装置についてはいわゆるＦＩＳ（国際スキー連盟）規定の形状への適合がいつでも簡単かつ正確に行えるようにすることである。
【０００７】
この課題は本発明によれば、請求項１の特徴部に記載の構成により、即ち、滑走面部材の高さ及び／又は延在はスペーサ部材によって、任意の輪郭又は任意の形状に適合させられることにより解決される。スペーサ部材は簡単かつ正確に取り付けることができ、スペーサ部材によって、それぞれ所望の輪郭又はそれぞれ所望の形状への適合が可能である。高さとは、装置全体のうち、滑走面部材を支持する部分までの構造物の鉛直方向の距離を意味する。従って、滑走面部材の高さとは、当該装置に固定のベース装置までの鉛直方向の距離である。滑走面部材の延在とは、水平方向及び／又は鉛直方向の滑走面部材の方向付けを意味している。
【０００８】
好適な実施態様では、滑走面部材は、スキージャンプ装置／スキージャンプ台用の助走路システムとして、互いに隣接して平行に延在する２つのスキートラックの形で形成されている。この場合、スペーサ部材は、装置全体のうち、滑走面部材を支持する構成部分である、装置固定のベース装置と、滑走面部材との間に配置されている。この場合、滑走面部材は、装置全長にわたって一体的に設けることができる、又は互いに隣接する複数の滑走面部材モジュールとして設けることができる。装置に固定のベース装置は、ジャンプ台に不動に結合された構造体である。
【０００９】
滑走面部材は、好適には、滑走エレメントの走行方向に対して横方向に配置された第１の異形部材、即ち第１の横方向異形部材上に配置されており、第１の横方向異形部材と装置に固定のベース装置との間に前記スペーサ部材が設けられている。
【００１０】
選択的な実施態様では、滑走面部材は、好適には、滑走エレメントの走行方向に対して平行に配置された第１の異形部材、即ち第１の長手方向異形部材上に配置されており、第１の長手方向異形部材と装置に固定のベース装置との間に前記スペーサ部材が設けられている。
【００１１】
好適な実施態様では、滑走面部材は第１の長手方向異形部材上に配置されていて、第１の長手方向異形部材は第１の横方向異形部材上に配置されており、第１の横方向異形部材と装置に固定のベース装置との間に、その長手方向寸法を変更可能なスペーサ部材が設けられている。
【００１２】
第１の長手方向異形部材と第２の横方向異形部材とを備えた本発明によるこのような構成によれば、滑走面部材の高さだけでなく平行性も、従って、滑走面部材によって例えば規定されるスキートラックの長手方向における整列性も簡単に短時間で正確に調節可能であり、固定可能である。
【００１３】
本発明によれば、装置に固定のベース装置は第２の横方向異形部材を有していて良い。この第２の横方向異形部材は、定置の装置下部構造に、例えば鋼・コンクリート下部構造に配置される。第２の横方向異形部材上には、好適には第２の長手方向異形部材が配置されていて、第２の長手方向異形部材からはスペーサ部材のねじ山付ボルトが上方に向かって延びている。
【００１４】
第１の長手方向異形部材と第１の横方向異形部材とは好適には断面Ｃ字形異形部材によって形成されている。第２の横方向異形部材は好適には断面二重Ｔ字形異形部材によって形成されている。勿論、それ以外の異形部材形状も使用可能である。
【００１５】
滑走面部材に配設された第２の長手方向異形部材も好適には断面二重Ｔ字形異形部材によって形成されている。別の異形部材形状であっても良い。
【００１６】
第１の横方向異形部材は、好適には、滑走面部材を両側で側方で越えて突出しており、それぞれ側方で突出する部分は、通行可能な面部材のために設けることができる。通行可能な面部材とは例えば、格子状の面部材である。この格子状の面部材は、例えば夏季は、人工芝又は類似のものから成る帯材によってカバーすることができる。
【００１７】
第２の長手方向異形部材は、第１の横方向異形部材の互いに離間した端部区分で、好適にはコンソール状のアングル異形部材によって形成されていて、該アングル異形部材は側方の長手方向異形部材に取り付けられており、側方の長手方向異形部材は、前記第１の長手方向異形部材と滑走面部材とを僅かに越えて突出している。前記側方の長手方向異形部材は例えば、薄板異形部材によって形成されている。
【００１８】
異形部材としては、必要な安定性を有しているならば、当業者に公知のあらゆる形状の異形材を使用することができ、例えば、断面Ｃ字形の、及び／又は断面Ｓ字形の、及び／又は断面Ｔ字形の、及び／又は断面Ｕ字形の、及び／又は断面二重Ｔ字形の異形材を使用することができる。
【００１９】
好適には、スペーサ部材はその長さの寸法を変更させることができる。しかしながら、高さ調節を可能にするあらゆる形式のスペーサ部材であって良い。スペーサ部材は、一体的に、又は複数の部材から構成することができる。スペーサ部材は、目的にかなった様々な材料、例えばプラスチック、炭素から、又は例えば鋼のような金属から製造することができる。選択された材料は、この材料に作用する力を支持することができなければならない。スペーサ部材は、高さ調節可能な緩衝器として形成されていても良い。スペーサ部材を、摺動可能な楔として設けることもできる。
【００２０】
その長さを変更することができる、従ってその長さを調節することができるスペーサ部材によって、滑走面部材の高さを、従って、スキージャンプ装置用の助走路システムとして滑走面部材を使用する場合には、スキートラックの高さを、所望のように簡単かつ確実に、短時間で正確に調節することができ、例えばＦＩＳ規定の形状に適合させることができる。
【００２１】
当該装置の本発明による構造物では、スペーサ部材は好適には、ねじナットを備えたねじ山付きボルトから成っている。ねじ山付きボルト及びこれに所属のねじナットによって、滑走面部材、従ってスキートラックを、いかなる所望の形状にも合わせて、例えばＦＩＳ規定の形状に合わせてミリメートル範囲の精度で適合させられる。
【００２２】
本発明の一実施態様では、第１の横方向異形部材は、滑走面部材を側方で越えて突出していない。これにより、真ん中の領域のみが、即ち、単数又は複数の滑走面部材を備える領域のみが高さ調節可能である。これにより当該装置は比較的簡単に構成される。しかしながらこれにより段部が生じ得る。
【００２３】
長手方向異形部材及び横方向異形部材は、目的に適した材料、例えばプラスチック、炭素、又は鋼、好適には亜鉛メッキされた、黒色鋼又は特殊鋼から製造することができる。ガラス繊維強化プラスチックも同様に使用することができる。また、銅や木材も考えられる。本発明によれば、異形部材のコーティングを設けることもできる。
【００２４】
滑走面部材を備えた装置のための本発明による構造物は、スノーボート滑走のために使用することもできる。
【００２５】
好適には、本発明による構造物の縁部には、フライス盤用のガイドレール、例えばフライス車両用のガイドレールが配置されている。このガイドレールは好適には第１の横方向異形部材上に取り付けられている。
【００２６】
さらなる詳細、特徴、利点は、本発明によるスキージャンプ装置用のジャンプ台構造を図示した実施形態についての以下の説明により明らかであるが、本発明は勿論、図示した構成に限定されるものではない。
【図面の簡単な説明】
【００２７】
【図１】本発明による構造物の一部を示した斜視図である。
【図２】図１の構造物を示した正面図である。
【図３】図１の構造物を上方から見た図である。
【図４】図３のＩＶ−ＩＶ線に沿った断面図である。
【００２８】
図１から図４には、スキージャンプ装置用の構造物１０の実施態様が示されている。この構造物１０は、互いに並んで平行に延在する一対のスキートラック１２を有しており、このスキートラック１２は滑走面部材１４から成っている。滑走面部材１４はそれぞれポリマ材料から成る底面部材１６を有しており、この底面部材１６には複数の突起体１８が格子状パターンで互いに間隔を置いて位置固定されている。例えばセラミック材料、金属等から成る突起体１８は、底面部材１６から規定されたように突出している。好適には例えば、アルミナセラミックのような酸化物セラミック、又は炭化物セラミック、窒化物セラミックから成る突起体１８が適している。しかしながら突起体は、磁器、プラスチック、又は適当な材料の組み合わせから成っていても良い。
【００２９】
突起体１８を備えた底面部材１６は、各滑走面部材１４の下部構造面部材２０に設けられている。底面部材１６は第１の条片エレメント２２と、これに所属する第２の条片エレメント２４との間に設けられている。それぞれ第１の条片エレメント２２と、これに所属する第２の条片エレメント２４とによって、対応するスキートラック１２は側方で規定通りに画成されている。
【００３０】
滑走面部材１４の様々な構成は冒頭で引用した本出願人の明細書に開示されているので、これについてこれ以上言及はしない。
【００３１】
滑走面部材１４は、第１の長手方向異形部材２６上に配置されている。第１の長手方向異形部材２６は、第１の横方向異形部材２８上に配置されている。第１の長手方向異形部材２６と第１の横方向異形部材２８とは好適には断面Ｃ字形の異形部材によって形成されている。別の異形部材形状、即ちプロフィール横断面であっても良い。
【００３２】
例えば図２及び図４から判るように、第１の横方向異形部材２８と、ジャンプ台に固定されたベース装置３２との間には、長手方向の寸法が変更可能なスペーサ部材３０が設けられている。スペーサ部材３０はベース装置３２から上方に向かって突出する、ナット３６を備えたねじ山付ボルト３４を有している。
【００３３】
ベース装置３２は第２の横方向異形部材３８を有している。第２の横方向異形部材３８上には第２の長手方向異形部材４０が配置されていて、この第２の長手方向異形部材４０からはねじ山付ボルト３４が上方に向かって立設されている。第２の横方向異形部材３８と第２の長手方向異形部材４０とは好適には断面二重Ｔ字形異形部材によって形成されている。断面Ｕ字形異形部材のような別の異形部材形状、即ち別のプロフィール横断面も使用することができる。
【００３４】
第１の横方向異形部材２８は、両側で滑走面部材１４を側方で越えて突出している。それぞれの側方の突出部は、通行可能な面部材（図示せず）、例えば格子状面部材等を収容するために設けられている。
【００３５】
第１の横方向異形部材２８の互いに離反する端部区分における第２の長手方向異形部材４０は二重Ｔ字形異形部材ではなく、コンソール状のアングル異形部材から形成されていて、これは側方異形部材４２に取り付けられている。側方異形部材４２は例えば第１の長手方向異形部材２６と滑走面部材１４とを僅かに越えて突出する薄板異形部材から成っている。
【符号の説明】
【００３６】
１０  ジャンプ台構造物
１２  スキートラック（１０の）
１４  滑走面部材（１０の１２用）
１６  底面部材（１４の１８用）
１８  突起体（１４の）
２０  下部構造面部材（１４の）
２２  第１の条片エレメント（１４の）
２４  第２の条片エレメント（１４の）
２６  第１の長手方向異形部材（１０の１４用の）
２８  第１の横方向異形部材（１０の２６上の）
３０  スペーサ部材（３２と２８の間）
３２  ベース装置（１０の）
３４  ねじ山付ボルト（３０の）
３６  ナット（３４の）
３８  第２の横方向異形部材（３２の）
４０  第２の長手方向異形部材（３２の）
４２  側方異形部材（１０の）
【図１】
2015517838.tif 000003
【図２】
2015517838.tif 000004
【図３】
2015517838.tif 000005
【図４】
2015517838.tif 000006
【国際調査報告】
2015517838.tif 000007
2015517838.tif 000008
2015517838.tif 000009
2015517838.tif 000010
2015517838.tif 000011
2015517838.tif 000012